(57)【要約】【課題】ドアの外側に人が立っていたりしてドアを開放するのに危険な状況での開放操作に対して、人にドアが衝突する危険を防ぎ、安全にドアの開閉を行うドアクローザー装置を提供する。【解決手段】ドアクローザー装置は、左側または左側の一端が外側または内側に向かって移動することにより出入口を開放するドアの移動速度に制動を加えるドアクローザー装置において、上記ドアの外側または内側周辺に存在する人を検知する人検知手段と、作動信号が入力されるとドアの移動速度が遅くなる制動を加える制動手段と、上記人検知手段により人が検知されたとき上記制動手段に開扉時の作動信号を送る制御手段と、を備える。【選択図】図１
2008266943.tif 000002
【特許請求の範囲】
【請求項１】
左側または左側の一端が外側または内側に向かって移動することにより出入口を開放するドアの移動速度に制動を加えるドアクローザー装置において、
上記ドアの外側または内側周辺に存在する人を検知する人検知手段と、
作動信号が入力されるとドアの移動速度が遅くなる制動を加える制動手段と、
上記人検知手段により人が検知されたとき上記制動手段に開扉時の作動信号を送る制御手段と、
を備えることを特徴とするドアクローザー装置。
【請求項２】
制動を加えることを解除する指令を入力する外部入力手段を備え、
上記制御手段は、上記外部入力手段から制動を加えることを解除する指令が入力されたとき上記制動手段に開扉時の非作動信号を送ることを特徴とする請求項１に記載のドアクローザー装置。
【発明の詳細な説明】
【技術分野】
【０００１】
この発明は、開いたドアを自動で閉じて全閉状態にするドアクローザー装置に関するものである。
【背景技術】
【０００２】
従来、バックチェック機能付きドアクローザーは、強風などによる急激なドアの開きを制御するための機構であり、強風や乱暴な扱いでドアが急激に開くことにより発生する人身事故やドアの損傷を未然に防ぐことを目的としている。
ところで、このようなバックチェック機能付きドアクローザーでは、通常のドアの開放操作に不都合を生じないように、例えば、ドア開放角が６０度前後から１８０度（最大開放角度）までの範囲で機能するものが知れている（例えば、特許文献１参照）。
【０００３】
【特許文献１】特開２００６−３４８６０２号公報
【発明の開示】
【発明が解決しようとする課題】
【０００４】
しかし、ドアの外側に人が立っていたりしてドアを開放するのに危険な状況であっても、従来のドアクローザーにはこれらの情報を入手する手段がなく、且つ通常の開放操作に不都合を生じさせられないため、制動機能を付加することができないという問題がある。
【０００５】
この発明の目的は、ドアの外側に人が立っていたりしてドアを開放するのに危険な状況での開放操作に対して、人にドアが衝突する危険を防ぎ、安全にドアの開閉を行うドアクローザー装置を提供することである。
【課題を解決するための手段】
【０００６】
この発明に係るドアクローザー装置は、左側または左側の一端が外側または内側に向かって移動することにより出入口を開放するドアの移動速度に制動を加えるドアクローザー装置において、上記ドアの外側または内側周辺に存在する人を検知する人検知手段と、作動信号が入力されるとドアの移動速度が遅くなる制動を加える制動手段と、上記人検知手段により人が検知されたとき上記制動手段に開扉時の作動信号を送る制御手段と、を備える。
【発明の効果】
【０００７】
この発明に係るドアクローザー装置の効果は、ドア外側周辺に人がいる場合に、開放操作されるドアに対して制動装置が作動し、ドアがゆっくりと開放するので、人にドアが衝突する危険を回避することができ、安全にドアの開放操作を行うことができることである。
【発明を実施するための最良の形態】
【０００８】
実施の形態１．
図１は、この発明に係る実施の形態１によるドアクローザー装置の機能ブロック図である。
この発明に係る実施の形態１によるドアクローザー装置が適用されるドアは、外側から見て左側の側端部を回転中心として右側の側端部が外側に開き、ドアが開くことにより出入口が開放される。
この発明に係る実施の形態１によるドアクローザー装置は、ドア外側周辺範囲を検知範囲として人の存在を検知する人検知手段としての人感センサ１、人感センサ１による人の存在の検知の有無により制動装置の作動または非作動を制御する制御手段としての制御装置３、および制御装置３からの制御信号により開扉時のドアに対して制動を行う制動手段しての制動装置４を備える。
【０００９】
人感センサ１は、ドアの外側でドアが開放するとき通過する床の部分を底面とした柱状の範囲（以下、「ドア外側周辺範囲」と称す）に人が存在すると検知信号が発生される。なお、上述のドアは外側に開くので、ドアの外側を検知範囲としているが、ドアが内側に開くときにはドアの内側を検知範囲とすることによりこの発明を適用することができる。
制動装置４は、外部から作動信号が入力されるとドアの開放操作に制動を加えることによりドアが制動を加えていない場合に比べてゆっくりと開き、外部から非作動信号が入力されているとドアの開放操作に制動が掛からずに通常の速度でドアが開放される。
制御装置３は、検知信号が入力されていないと非作動信号を出力し、検知信号が入力されると作動信号を出力する。
【００１０】
この発明に係る実施の形態１によるドアクローザー装置は、ドア外側周辺範囲に人がいる場合に、開放操作されるドアに対して制動装置が作動し、ドアがゆっくりと開放するので、人にドアが衝突する危険を回避することができ、安全にドアの開放操作を行うことができる
【００１１】
実施の形態２．
図２は、この発明に係る実施の形態２によるドアクローザー装置の機能ブロック図である。
この発明に係る実施の形態２によるドアクローザー装置は、ドア外側周辺を検知範囲として人の存在を検知する人検知手段としての人感センサ１、ドアの外側ドアノブが操作されたことを検知する外部入力手段としてのドアノブセンサ２、人感センサ１による人の存在の検知の有無およびドアノブセンサ２によるドアの外側に存在する人が開放操作を開始しているか否かに基づき制動装置４の作動または非作動を制御する制御手段としての制御装置３、および制御装置３からの制御信号により開扉時のドアに対して制動を行う制動手段としての制動装置４を備える。
【００１２】
人感センサ１は、ドアの外側でドアが開放するとき通過する床の部分を底面とした柱状の範囲（以下、「ドア外側周辺範囲」と称す）に人が存在すると検知信号が発生される。
ドアノブセンサ２は、ドアの外側ドアノブが操作されるとドアノブ操作信号を発生する。
制動装置４は、外部から作動信号が入力されるとドアの開放操作に制動を加えることによりドアが制動を加えていない場合に比べてゆっくりと開き、外部から非作動信号が入力されているとドアの開放操作に制動が掛からずに通常の速度でドアが開放される。
制御装置３は、検知信号およびドアノブ操作信号が入力されていないと非作動信号を出力し、検知信号が入力されドアノブ操作信号が入力されていないと作動信号を出力し、検知信号とドアノブ操作信号とが入力されていると非作動信号を出力する。
【００１３】
この発明に係る実施の形態２によるドアクローザー装置は、ドア外側周辺に人がいる場合に、開放操作されるドアに対して制動装置が作動し、ドアがゆっくりと開放するので、人にドアが衝突する危険を回避することができ、安全にドアの開放操作を行うことができる
【００１４】
また、ドアの外側の周辺に居る人が外側ドアノブを操作してドアを開放しようとしていると判断し、ドアが開放されても外側の周辺に居る人はドアが開放されることが分かっており、ドアが通常の速度で開放させても衝突の危険性がないので、外側ドアノブが操作されたときには通常の速度で開放される。その結果、ドアの外側からドアを通常の速度で開放でき、入室に違和感を懐かない。
【図面の簡単な説明】
【００１５】
【図１】この発明に係る実施の形態１によるドアクローザー装置の機能ブロック図である。
【図２】この発明に係る実施の形態２によるドアクローザー装置の機能ブロック図である。
【符号の説明】
【００１６】
１  人感センサ、２  ドアノブセンサ、３  制御装置、４  制動装置。
【図１】
2008266943.tif 000003
【図２】
2008266943.tif 000004